(57)【要約】【課題】電動工具用のバッテリを電源として利用する例えばラジオ等の電気機器において、ＡＣアダプタを接続して交流電源も利用できるようにしたものが提供されている。通常、ＡＣアダプタはその電気機器専用であり、他の機器に流用できない。本発明では、許容電流の点で問題ないものについては流用できるようにしてその利用範囲を拡大し、電気機器の使い勝手を高めることを目的とする。【解決手段】消費電流Ｘ１が小さな第１電気機器４５と、消費電流Ｘ２が大きな第２電気機器３５と、第１電気機器専用で許容電流Ｙ１が小さな第１ＡＣアダプタ４０と、第２電気機器専用で許容電流Ｙ２が大きな第２ＡＣアダプタ３０を備え、第１電気機器４５には、第１ＡＣアダプタ４０と第２ＡＣアダプタ３０の双方を接続可能で、第２電気機器３５には、第２ＡＣアダプタ３０を接続可能である一方、第１ＡＣアダプタ４０を接続不能としてその焼損等のトラブルを未然に防止する。【選択図】図９
2013229957.tif 000002
【特許請求の範囲】
【請求項１】
電動工具用のバッテリパックを電源として使用可能であり、かつ交流電源を直流電源に変換するＡＣアダプタを接続して電源として使用可能で、消費電流がＸ０アンペアの電気機器であって、許容電流がＸ０アンペアの専用のＡＣアダプタに加えて、許容電流がＸ０アンペアよりも大きな他のＡＣアダプタを接続して電源として使用可能な電気機器。
【請求項２】
請求項１記載の電気機器であって、許容電流がＸ０アンペアよりも小さなＡＣアダプタを接続不能な電気機器。
【請求項３】
電動工具用のバッテリパックを電源として使用可能であり、かつ交流電源を直流電源に変換するＡＣアダプタを接続して電源として使用可能な電気機器であって、
消費電流がＸ１アンペアの第１電気機器と、消費電流が前記第１電気機器よりも大きなＸ２アンペアの第２電気機器と、許容電流がＹ１アンペアで前記第１電気機器の専用アダプタとしての第１ＡＣアダプタと、許容電流が該第１ＡＣアダプタよりも大きなＹ２アンペアで前記第２電気機器の専用アダプタとしての第２ＡＣアダプタを備え、
前記第１電気機器には、前記第１ＡＣアダプタと前記第２ＡＣアダプタの双方を接続して電源として使用可能で、前記第２電気機器には、前記第２ＡＣアダプタを接続して電源として使用可能である一方、前記第１ＡＣアダプタを接続不能とした電気機器。
【請求項４】
請求項１〜３の何れか１項に記載した電気機器であって、その機器本体のアダプタ接続口に、前記ＡＣアダプタの接続プラグを接続する構成とされ、前記アダプタ接続口若しくは前記接続プラグの何れか一方若しくは双方に接続の可否を判別するための接続可否判別部を設けた電気機器。
【請求項５】
請求項４記載の電気機器であって、前記接続可否判別部として、許容電流が大きな第２ＡＣアダプタの接続プラグについて、差し込みジャックをプラグベースに設けた台座部から突き出して設ける一方、許容電流が小さな第１ＡＣアダプタの接続プラグについては、プラグベースから差し込みジャックを直接突き出して設けて、
消費電流の小さな第１電気機器のアダプタ接続口に対しては、前記台座部の有無に関係なく前記差し込みジャックを同じ差し込み量だけ差し込んで前記両ＡＣアダプタの接続プラグを接続可能とし、消費電流の大きな第２電気機器のアダプタ接続口に対しては、前記台座部の分だけ前記差し込みジャックの差し込み量が不足して前記第１ＡＣアダプタの接続プラグを接続不能とする構成とした電気機器。
【請求項６】
請求項４記載の電気機器であって、前記接続可否判別部として、許容電流が大きな第２ＡＣアダプタの接続プラグについて、そのプラグベースに設けた円形の第２台座部から差し込みジャックを突き出して設ける一方、許容電流が小さな第１ＡＣアダプタの接続プラグについては、そのプラグベースに設けた、前記第２台座部よりも大径の第１台座部から差し込みジャックを突き出して設けて、
消費電流の小さな第１電気機器のアダプタ接続口に前記第１及び第２台座部を挿入可能な大径の第１判別凹部を設ける一方、消費電流の大きな第２電気機器のアダプタ接続口に前記第２台座部を挿入可能で前記第１台座部を挿入不能な、前記第１判別凹部よりも小径の第２判別凹部を設けて、
前記第１電気機器のアダプタ接続口に対しては、前記両台座部を前記第１判別凹部に挿入して前記両ＡＣアダプタの接続プラグを接続可能とし、前記第２電気機器のアダプタ接続口に対しては、その第２判別凹部に前記第２台座部のみを挿入可能で、前記第１台座部を挿入不能として前記第１ＡＣアダプタの接続プラグを接続不能とする構成とした電気機器。
【請求項７】
請求項４記載の電気機器であって、前記接続可否判別部として、消費電流が大きな第２電気機器のアダプタ接続口に接続規制凸部を設け、許容電流が大きな第２ＡＣアダプタの接続プラグに該接続規制凸部を逃がすための逃がし凹部を設けて、
消費電流が小さな第１電気機器のアダプタ接続口には、第１及び第２ＡＣアダプタの接続プラグを接続可能であり、前記第２電気機器のアダプタ接続口については前記逃がし凹部内に前記接続規制凸部を進入させて前記第２ＡＣアダプタの接続プラグを接続可能である一方、前記第１ＡＣアダプタの接続プラグについては前記接続規制凸部により接続不能な構成とした電気機器。
【請求項８】
請求項４記載の電気機器であって、前記接続可否判別部として、消費電流の大きな第２電気機器のアダプタ接続口に、許容電流の大きな第２ＡＣアダプタの接続プラグを嵌め込み可能な第２嵌め込み凹部を設け、消費電流の小さな第１電機器のアダプタ接続口に、許容電流の小さな第１ＡＣアダプタの接続プラグを嵌め込み可能な第１嵌め込み凹部を設け、
前記第２ＡＣアダプタの接続プラグに欠落角部を設け、該欠落角部に対応して前記第２嵌め込み凹部に逃がし角部を設けて、
前記第１嵌め込み凹部には前記両ＡＣアダプタの接続プラグを嵌め込んで該両ＡＣアダプタを前記第１電気機器に接続可能である一方、前記第２嵌め込み凹部には、前記逃がし角部の干渉により前記第１ＡＣアダプタの接続プラグを嵌め込み不能として前記第２電気機器に前記第１ＡＣアダプタを接続不能な構成とした電気機器。
【発明の詳細な説明】
【技術分野】
【０００１】
この発明は、例えば、電動ねじ締め機等の電動工具のバッテリパックをそのまま電源として利用できるラジオやテレビ等の電気機器に関する。
【背景技術】
【０００２】
使い切りの乾電池や充電式のバッテリパックを電源とする携帯型の例えばラジオについては従来より様々なタイプのものが提供されている。その中でも、例えば下記の特許文献１に開示されているように屋外の建築作業現場等において電動工具用のバッテリパックをそのまま装着して電源として利用できる形態のものが提供されている。この種のバッテリ式ラジオについては、ＡＣアダプタを接続して交流電源を電源としても利用できるようにしたものが提供されている。このＡＣアダプタを機器本体に接続して、家庭用電源等のＡＣ１００Ｖを例えばＤＣ１５Ｖに変換して電源として利用することにより、バッテリパックを用いることなく当該電気機器を利用することができる。
一般にラジオ等の電気機器に対するＡＣアダプタの接続端子（接続プラグ）については、その許容電流を超える大きな電流が流されることによる当該ＡＣアダプタの損傷等を未然に回避する必要があり、そのために当該ＡＣアダプタの他の電気機器への誤接続を防止するための対策（専用プラグ化）が施されている。係るＤＣプラグの専用プラグ化（誤接続防止）のための様々な技術が上記の特許文献２−４に開示されている。これら特許文献に開示されているように、一般には接続プラグに突起部若しくは凹部を設け、あるいは太さを変更する一方、接続対象の電気機器側にこれに対応する凹部若しくは突起部を設け、あるいは差し込み口を設けておくことにより、合致しない凹凸形状あるいは太さの接続プラグであって専用アダプタ以外は機械的に接続できないようにしている。
【先行技術文献】
【特許文献】
【０００３】
【特許文献１】米国特許出願公開第２００５／０２２５２８８号明細書
【特許文献２】特開２０００−２４３４５８号公報
【特許文献３】特開平１１−２８８７６４号公報
【特許文献４】特開２００６−１４７１９７号公報
【発明の概要】
【発明が解決しようとする課題】
【０００４】
しかしながら、この接続プラグの誤接続防止のための対策は、電気的能力の有無を考慮することなく一律に適用されているのが現状で、電気機器側で要求される消費電流を十分に供給可能な許容電流のＡＣアダプタであってもプラグ形状が異なるためにそもそも機械的に接続できないようになっている。このため、例えば専用アダプタが損傷若しくは紛失等により利用できない場合であっても、別のＡＣアダプタを流用することができず、その結果利用できる電源がバッテリパックのみとなって当該電気機器の付加価値（機能）が大幅に損なわれる結果となる。
本発明は、係る従来の問題に鑑みてなされたもので、電気的に接続しても問題のないＡＣアダプタについては接続可能とすることにより当該ＡＣアダプタの利用可能な範囲を拡大し、ひいてはこれを接続して利用する電気機器の付加価値を高めることを目的とする。
【課題を解決するための手段】
【０００５】
上記の課題は、下記の発明によって解決される。
第１の発明は、電動工具用のバッテリパックを電源として使用可能であり、かつ交流電源を直流電源に変換するＡＣアダプタを接続して電源として使用可能で、消費電流がＸ０アンペアの電気機器であって、許容電流がＸ０アンペアの専用のＡＣアダプタに加えて、許容電流がＸ０アンペアよりも大きな他のＡＣアダプタを接続して電源として使用可能な電気機器である。
第１の発明によれば、専用のＡＣアダプタに加えて、他のＡＣアダプタを接続して交流電源を直流電源に変換して電源として適正に使用することができるので、当該他のＡＣアダプタの利用可能な範囲を拡大することができ、またこれが接続される電気機器の利便性及び付加価値を高めることができる。
このように、専用のＡＣアダプタだけでなく、これよりも大きな許容電流を流すことができる他のＡＣアダプタであって過電流による損傷等のおそれがなく電気機器の消費電流に対して十分な余裕のあるＡＣアダプタをも接続できるようにすることにより、電気機器の利便性及び使い勝手を高めることができる。
第２の発明は、第１の発明において、許容電流がＸ０アンペアよりも小さなＡＣアダプタを接続不能な電気機器である。
第２の発明によれば、許容電流が電気機器の消費電流よりも小さいＡＣアダプタについては従来通り接続不能とすることにより、過電流による当該ＡＣアダプタの損傷若しくは焼損等のトラブルが未然に回避される。
第３の発明は、電動工具用のバッテリパックを電源として使用可能であり、かつ交流電源を直流電源に変換するＡＣアダプタを接続して電源として使用可能な電気機器であって、消費電流がＸ１アンペアの第１電気機器と、消費電流が第１電気機器よりも大きなＸ２アンペアの第２電気機器と、許容電流がＹ１アンペアで第１電気機器の専用アダプタとしての第１ＡＣアダプタと、許容電流が第１ＡＣアダプタよりも大きなＹ２アンペアで第２電気機器の専用アダプタとしての第２ＡＣアダプタを備え、第１電気機器には、第１ＡＣアダプタと第２ＡＣアダプタの双方を接続して電源として使用可能で、第２電気機器には、第２ＡＣアダプタを接続して電源として使用可能である一方、第１ＡＣアダプタを接続不能とした電気機器である。
第３の発明によれば、消費電流の小さな第１電気機器には、専用の第１ＡＣアダプタと、第２機器専用の第２ＡＣアダプタの双方を接続して電源として適正に使用することができるので、第２ＡＣアダプタの利用可能な範囲を拡大することができ、かつ第１電気機器の利便性を高め、またその付加価値を高めることができる。一方、消費電流がより大きな第２電気機器には、その専用の第２ＡＣアダプタを接続して電源として適正に使用することはできるが、これよりも許容電流が小さな第１ＡＣアダプタはそもそも接続不能であるのでその誤接続に伴う焼損等のトラブルを確実に回避することができる。
第３の発明は、例えば旧型製品と新型製品に置き換えることができる。第１電気機器が旧型製品で、第２電気機器が新型製品である場合を想定すると、新型製品はより例えば高機能化していることにより消費電流が旧型製品よりも大きくなっている。例えば、新型製品の消費電流が、１．２アンペアで、旧型製品の消費電流が７００ミリアンペアとすると、新型製品専用の第２ＡＣアダプタの許容電流は１．２アンペアであり、旧型製品専用の第１ＡＣアダプタの許容電流は７００ミリアンペアである。
この場合に、旧型製品には、専用の第１ＡＣアダプタの他に、新型製品用の第２ＡＣアダプタを電源として適正に流用することができるので、新型製品が例えば故障により使用できない場合にも第２ＡＣアダプタを旧型製品に有効活用することができ、当該第２ＡＣアダプタの利用可能な範囲を拡大することができ、また旧型製品の利便性及び付加価値を高めることができる。
一方、新型製品には、専用の第２ＡＣアダプタのみを接続することができ、旧型製品専用の第１ＡＣアダプタはそもそも接続することができずその誤接続が確実に防止されることにより、当該第１ＡＣアダプタの焼損等のトラブルは未然に回避される。
第４の発明は、第１〜第３の何れか一つの発明において、機器本体のアダプタ接続口に、ＡＣアダプタの接続プラグを接続する構成とされ、アダプタ接続口若しくは接続プラグの何れか一方若しくは双方に接続の可否を判別するための接続可否判別部を設けた電気機器である。
第４の発明によれば、アダプタ接続口に接続プラグを接続しようとする段階で接続可否判別部によって接続の可否が判断されることにより、電気機器の消費電流に比して許容電流が小さなＡＣアダプタの誤接続が確実に防止される。
【０００６】
第５の発明は、第４の発明において、接続可否判別部として、許容電流が大きな第２ＡＣアダプタの接続プラグについて、差し込みジャックをプラグベースに設けた台座部から突き出して設ける一方、許容電流が小さな第１ＡＣアダプタの接続プラグについては、プラグベースから差し込みジャックを直接突き出して設けて、消費電流の小さな第１電気機器のアダプタ接続口に対しては、前記台座部の有無に関係なく前記差し込みジャックを同じ差し込み量だけ差し込んで前記両ＡＣアダプタの接続プラグを接続可能とし、消費電流の大きな第２電気機器のアダプタ接続口に対しては、前記台座部の分だけ前記差し込みジャックの差し込み量が不足して前記第１ＡＣアダプタの接続プラグを接続不能とする構成とした電気機器である。
第５の発明によれば、接続可否判断部の一形態として、台座部の有無により差し込みジャックがアダプタ接続口にまで届くか否かによって接続の可否が判断される。第２ＡＣアダプタの差し込みジャックは台座部の分だけ第１ＡＣアダプタの差し込みジャックよりも実質的に長くなっている。差し込みジャックが台座部の分だけ実質的に長いことにより、第２ＡＣアダプタは第１及び第２の両電気機器に接続可能であり、これよりも台座部の分だけ差し込みジャックが実質的に短い第１ＡＣアダプタは、専用の第１電気機器にのみ接続でき、より消費電流の大きな第２電気機器には接続不能となってその焼損等のトラブルが未然に防止される。
第６の発明は、第４の発明において、接続可否判別部として、許容電流が大きな第２ＡＣアダプタの接続プラグについて、そのプラグベースに設けた円形の第２台座部から差し込みジャックを突き出して設ける一方、許容電流が小さな第１ＡＣアダプタの接続プラグについては、そのプラグベースに設けた、第２台座部よりも大径の第１台座部から差し込みジャックを突き出して設けて、消費電流の小さな第１電気機器のアダプタ接続口に第１及び第２台座部を挿入可能な大径の第１判別凹部を設ける一方、消費電流の大きな第２電気機器のアダプタ接続口に第２台座部を挿入可能で第１台座部を挿入不能な、第１判別凹部よりも小径の第２判別凹部を設けて、第１電気機器のアダプタ接続口に対しては、両台座部を第１判別凹部に挿入して両ＡＣアダプタの接続プラグを接続可能とし、第２電気機器のアダプタ接続口に対しては、その第２判別凹部に第２台座部のみを挿入可能で、第１台座部を挿入不能として第１ＡＣアダプタの接続プラグを接続不能とする構成とした電気機器である。
第６の発明によれば、接続可否判断部の一形態として、差し込みジャック基部の台座部の径の大小によって、接続の可否が判断される。大径の第１台座部を有する第１ＡＣアダプタの接続プラグは、当該第１台座部を挿入可能な大径の第１判別凹部を有する第１電気機器にのみ接続可能で、より小径の第２判別凹部を有する第２電気機器に接続不能であることにより、第１ＡＣアダプタは専用の第１電気機器にのみ接続可能で、より消費電流の大きな第２電気機器には接続不能となってその焼損等のトラブルが未然に防止される。
第７の発明は、第４の発明において、接続可否判別部として、消費電流が大きな第２電気機器のアダプタ接続口に接続規制凸部を設け、許容電流が大きな第２ＡＣアダプタの接続プラグに該接続規制凸部を逃がすための逃がし凹部を設けて、消費電流が小さな第１電気機器のアダプタ接続口には、第１及び第２ＡＣアダプタの接続プラグを接続可能であり、前記第２電気機器のアダプタ接続口については前記逃がし凹部内に前記接続規制凸部を進入させて前記第２ＡＣアダプタの接続プラグを接続可能である一方、前記第１ＡＣアダプタの接続プラグについては前記接続規制凸部により接続不能とする構成とした電気機器である。
第７の発明によれば、接続可否判断部の一形態として、第２電気機器のアダプタ接続口に接続規制凸部が設けられ、第１電気機器のアダプタ接続口には係る接続規制凸部が設けられていない。一方、第２電気機器専用の第２ＡＣアダプタの接続プラグには、上記接続規制凸部を挿入（逃がす）するための逃がし凹部が設けられ、第１電気機器専用の第１ＡＣアダプタの接続プラグには係る逃がし凹部が設けられていない。第１ＡＣアダプタの接続プラグに係る逃がし凹部が設けられていないため第２電気機器の接続規制凸部を挿入する（逃がす）ことができず、その結果第１ＡＣアダプタの接続プラグについては第２電気機器に接続不能となってその焼損等のトラブルが未然に防止される。
第８の発明は、第４の発明において、接続可否判別部として、消費電流の大きな第２電気機器のアダプタ接続口に、許容電流の大きな第２ＡＣアダプタの接続プラグを嵌め込み可能な第２嵌め込み凹部を設け、消費電流の小さな第１電機器のアダプタ接続口に、許容電流の小さな第１ＡＣアダプタの接続プラグを嵌め込み可能な第１嵌め込み凹部を設け、第２ＡＣアダプタの接続プラグに欠落角部を設け、該欠落角部に対応して前記第２嵌め込み凹部に逃がし角部を設けて、第１嵌め込み凹部には前記両ＡＣアダプタの接続プラグを嵌め込んで該両ＡＣアダプタを前記第１電気機器に接続可能である一方、前記第２嵌め込み凹部には、前記逃がし角部の干渉により前記第１ＡＣアダプタの接続プラグを嵌め込み不能として前記第２電気機器に前記第１ＡＣアダプタを接続不能な構成とした電気機器である。
第８の発明によれば、接続可否判断部の一形態として、許容電流の小さな第１ＡＣアダプタの接続プラグと許容電流の大きな第２ＡＣアダプタの接続プラグとにおいて、欠落角部の有無により、接続の可否の判断がなされる。第２ＡＣアダプタの接続プラグは、第１電気機器の第１嵌め込み凹部及び第２電気機器の第２嵌め込み凹部の双方に対して嵌め込み可能な形状を有する一方、第１ＡＣアダプタの接続プラグは、専用の第１電気機器の第１嵌め込み凹部にのみ嵌め込み可能で、第２電気機器の第２嵌め込み凹部には、逃がし角部に干渉して嵌め込むことができない。これにより、許容電流の大きな第２ＡＣアダプタの有効活用が図られるとともに、許容電流のより小さな第１ＡＣアダプタの誤接続による焼損等のトラブルが未然に防止される。
【図面の簡単な説明】
【０００７】
【図１】本発明に係る第１電気機器の全体斜視図である。
【図２】本発明に係る第２電気機器の全体斜視図である。
【図３】第２電気機器を後方から見た斜視図である。本図では、蓋部が開けられてバッテリ取り付け部が開放された状態で示されている。
【図４】バッテリパックを電源として取り付けた電気カンナの全体斜視図である。
【図５】スライド取り付け形式のバッテリパック単体の斜視図である。
【図６】第１ＡＣアダプタの接続プラグの斜視図である。
【図７】第２ＡＣアダプタの接続プラグの斜視図である。
【図８】本発明の第１実施形態を説明する図であって、第１電気機器に対する第１ＡＣアダプタの接続状態を示す断面斜視図である。
【図９】本発明の第１実施形態を説明する図であって、第１電気機器に対する第２ＡＣアダプタの接続状態を示す断面斜視図である。
【図１０】本発明の第１実施形態を説明する図であって、第２電気機器に対する第２ＡＣアダプタの接続状態を示す断面斜視図である。
【図１１】本発明の第１実施形態を説明する図であって、第２電気機器に対する第１ＡＣアダプタの非接続状態を示す断面斜視図である。
【図１２】本発明の第２実施形態を示す模式図である。
【図１３】本発明の第３実施形態を示す模式図である。
【図１４】本発明の第４実施形態を示す模式図である。
【発明を実施するための形態】
【０００８】
次に、本発明の実施形態を図１〜図１４に基づいて説明する。図１及び図２は、本発明の第１実施形態に係る電気機器を示している。図１には旧型製品である第１電気機器１０が示され、図２には新型製品である第２電気機器２０が示されている。両電気機器１０，２０は、何れもバッテリ式ラジオで、電動ねじ締め機等の各種電動工具に電源として用いられるバッテリパックをそのまま取り付けて電源として利用できる機能を有している。
例えば図４には電動工具の一例として充電式の電気カンナ９０が示されている。この充電式電気カンナ９０の後部にバッテリ取り付け部９０ａが設けられており、このバッテリ取り付け部９０ａにスライド式のバッテリパック７が電源として取り付けられている。このバッテリパック７は、バッテリケース７ａ内に複数本のバッテリセル７ｂ〜７ｂを収容したリチウムイオンバッテリで、バッテリ取り付け部９０ａから取り外して別途充電器で充電することにより繰り返し使用することができる（二次電池）。このバッテリパック７にはスライド取り付け用の左右一対のレール部７ｄ，７ｄが設けられている。両レール部７ｄ、７ｄ間に接続端子類７ｅが配置されている。
バッテリ取り付け部９０ａから取り外した状態のバッテリパック７が図５に示されている。このバッテリパック７は、バッテリ取り付け部９０ａに対して図示下向きにスライドさせることにより取り付けられる。このバッテリパック７の図示上面には、取り付け状態をロックするためのロック爪７ｃが設けられている。このロック爪７ｃを指先で図５中矢印で示す方向に押し下げ操作した状態で図示上方へスライドさせることにより当該バッテリパック７をバッテリ取り付け部９０ａから取り外すことができる。取り外したバッテリパック７はそのまま両電気機器１０，２０の電源として流用することができる。
図３には、第２電気機器２０を後方から見た状態が示されている。バッテリパック７の取り付け構造については第１電気機器１０についても同様である。図３に示すようにバッテリパック７は、両電気機器２０（１０）の機器本体２１（１１）の後部に設けた蓋部２２（１２）を後方へ開くことによりその内部に装着することができる。図示するように機器本体２１（１１）の内部に設けたバッテリ取り付け部２１ａ（１１ａ）に対して上側から下向きにスライドさせることにより当該バッテリパック７をバッテリ取り付け部２１ａ（１１ａ）に取り付けることができる。逆に、ロック爪７ｃを指先で押し下げ操作した状態で上方へスライドさせることにより当該バッテリパック７を取り外すことができる。取り出したバッテリパック７は、前記したように別途用意した充電器で充電することにより当該電気機器２０（１０）の電源として繰り返し使用することができる。バッテリ取り付け部２１ａ，１１ａには、例示したスライド取り付け式のバッテリパック７に代えて、差し込み式のバッテリパックを装着することもできる。差し込み式のバッテリパックを装着した場合には、ホールドバー２１ｂ（１１ｂ）によってその不用意な位置ずれ（外れ）が防止されるようになっている。
また、蓋２２（１２）の閉止状態は、その上部に設けた閉じ爪部２２ａ（１２ａ）を機器本体２１（１１）の上面に設けた回動式の閉止レバー２１ｃ（１１ｃ）に引き掛けておくことによりロックされる。
第１及び第２電気機器１０，２０の上部には、それぞれ持ち運び用のキャリングハンドル１３，２３及びＦＭラジオ用のロッドアンテナ１３ａ，２３ａが設けられている。また、両電気機器１０，２０の前面には、液晶モニタ１４ａ，２４ａを含む操作パネル１４，２４が設けられている。この操作パネル１４，２４に、起動スイッチ１４ｂ，２４ｂ等の各種操作スイッチが配置されている。操作パネル１４，２４の下側には、音量調整用のボリュームダイヤル１５，２５が配置されている。
ボリュームダイヤル１５，２５の下側には、それぞれＡＣアダプタ１，２を接続するためのアダプタ接続口１７，２７が設けられている。それぞれＡＣアダプタ１，２を用いることにより、当該電気機器１０，２０を、家庭用の交流１００Ｖを電源として利用することができる。本発明は、このアダプタ接続口１７，２７に対するＡＣアダプタの接続形態について特徴を有している。従って、これについては複数の実施形態を含めて後述する。
これら各種の操作部材が集中配置された機器本体１１，２１の前面左右には、ガードバー１６，１６，２６，２６が配置されている。左右のガードバー１６，１６、２６，２６により、各種の操作スイッチに不用意に手が触れたり、他の物品が干渉することが防止されるようになっている。
機器本体１１，２１のそれぞれ左右両側部には、音声出力用のスピーカ１８，１８、２８，２８が搭載されている。また、機器本体１１，２１の角部及び稜線部には、それぞれエラストマゴム製のバンパ１９〜１９、２９〜２９が被着されて、他物品が干渉した場合等の衝撃が緩和されるようになっている。
【０００９】
新型製品である第２電気機器２０の上面には、携帯形のミュージックプレーヤ５を装着するためドックが装備されている。図２では、ミュージックプレーヤ５をドックに接続した状態が示されている。図２ではドックを開閉するドックカバー６のみが見えている。旧型製品である第１電気機器１０には、この種のミュージックプレーヤ５を接続するための専用ドックを備えていない。このため、第２電気機器２０の消費電流は、第１電気機器１０の消費電流よりも大きくなっている。本実施形態では、第１電気機器１０の消費電流は７００ミリアンペアであり、第２電気機器２０の消費電流は１．２アンペアに設定されている。このため、第１電気機器１０のアダプタ接続口１７に接続可能な専用の第１ＡＣアダプタ１の許容電流は７００ミリアンペアであり、第２電気機器２０のアダプタ接続口２７に接続可能な専用の第２ＡＣアダプタ２の許容電流は１．２アンペアに設定されている。本実施形態の電気機器１０，２０は、第２電気機器２０専用の第２ＡＣアダプタ２を旧型の第１電気機器１０にも利用できる点に特徴を有している。第１電気機器１０専用の第１ＡＣアダプタ１は、その許容電流を超える電流が流されることによる焼損等のトラブルを防止するために、当該第１電気機器１０にのみ接続可能で、第２電気機器２０には使用できないようになっている。以下、第１電気機器１０のアダプタ接続口１７と第２電気機器２０のアダプタ接続口２７に対する第１ＡＣアダプタ１と第２ＡＣアダプタ２の接続の可否及びこれを判別するための構成（接続可否判別構造）について説明する。
【００１０】
図６〜図１１には、第１実施形態の接続可否判別構造が示されている。図６に示す第１ＡＣアダプタ１は、接続プラグ１ａとアダプタ本体１ｂとコンセント１ｃを配線１ｄ，１ｄを介して接続した構成を備えており、許容電流は７００ミリアンペアに設定されている。コンセント１ｃを交流１００Ｖ電源の差し込み口に接続することにより、係る交流電源をアダプタ本体１ｂで直流電源に変換して接続プラグ１ａから出力することができる。接続プラグ１ａは、樹脂製のプラグベース１ａａと、導電性を有する差し込みジャック１ａｂを備えている。
プラグベース１ａａは、円柱体形状を有している。このプラグベース１ａａの接続方向前端面の中心から円筒形状の差し込みジャック１ａｂが突き出されている。差し込みジャック１ａｂのプラグベース１ａａの接続方向前端面からの突き出し寸法がアダプタ接続口１７に対する差し込み代Ｌ１となっている。
図７に示す第２ＡＣアダプタ２は、接続プラグ２ａとアダプタ本体２ｂとコンセント２ｃを配線２ｄ，２ｄを介して接続した構成を備えている。この第２ＡＣアダプタ２の許容電流は、１．２アンペアに設定されている。コンセント２ｃを交流１００Ｖ電源の差し込み口に接続することにより、係る交流電源をアダプタ本体２ｂで直流電源に変換して接続プラグ２ａから出力することができる。
接続プラグ２ａは、樹脂製のプラグベース２ａａと、導電性を有する差し込みジャック２ａｂと、この差し込みジャック２ａｂをプラグベース２ａａに対して支持する台座部２ａｃを備えている。プラグベース２ａａは、第１ＡＣアダプタ１のプラグベース１ａａを同じく円柱体形状を有している。このプラグベース２ａａの接続方向前端面に、同じく円柱体形状を有する台座部２ａｃが同心かつ一体に形成されている。台座部２ａｃはプラグベース２ａａよりも小径に形成されている。この台座部２ａｃの接続方向前端面の中心から円筒形状の差し込みジャック２ａｂが突き出されている。差し込みジャック２ａｂのプラグベース２ａａの接続方向前端面からの突き出し寸法がアダプタ接続口２７に対する差し込み代Ｌ２となっている。
差し込みジャック２ａｂの台座部２ａｃの接続方向前端面からの突き出し寸法は、第１ＡＣアダプタ１の差し込みジャック１ａｂのプラグベース１ａａの接続方向前端面からの突き出し寸法（差し込み代Ｌ１）に等しくなっている。また、両差し込みジャック１ａｂ，２ａｂは、相互に同じ太さ（径）を有している。
第１ＡＣアダプタ１の接続プラグ１ａと第２ＡＣアダプタ２の接続プラグ２ａとを比較すると、第２ＡＣアダプタの接続プラグ２ａの方が、台座部２ａｃの高さ分だけ差し込み代Ｌ２が長くなっている（Ｌ１＞Ｌ２）。
【００１１】
図８に示すように第１ＡＣアダプタ１は、第１電気機器１０のアダプタ接続口１７に差し込みジャック１ａｂを差し込んで接続することができる。この接続状態では、プラグベース１ａａの接続方向前端面がアダプタ接続口１７の端部に当接して差し込みジャック１ａｂは十分な距離だけアダプタ接続口１７内に差し込まれて電気的に接続されている。
図９に示すように第２ＡＣアダプタ２は、第１電気機器１０のアダプタ接続口１７に差し込みジャック１ａｂを差し込んで接続することができる。この接続状態では、台座部２ａｃの接続方向前端面がアダプタ接続口１７の端部に当接して差し込みジャック２ａｂは十分な距離だけアダプタ接続口１７内に差し込まれて電気的に接続されている。
このように、第１電気機器１０のアダプタ接続口１７には、専用の第１ＡＣアダプタ１の接続プラグ１ａの他に、第２電気機器２０専用の第２ＡＣアダプタ２の接続プラグ２ａをも接続することができ、第１電気機器１０については、第１及び第２ＡＣアダプタ１，２の双方をアダプタ接続口１７に接続することができる。
次に、図１０に示すように第２ＡＣアダプタ２は、第２電気機器２０のアダプタ接続口２７に差し込みジャック２ａｂを差し込んで接続することができる。図示するように、第２電気機器２０のアダプタ接続口２７は、当該第２電気機器２０のケース外面Ｓから距離Ｌ２だけ奥まった位置に配置されている。プラグベース２ａａはケース外面Ｓから奥部へは挿入できないようになっているが、より小径の台座部２ａｃをケース外面Ｓよりも奥部へ挿入して差し込みジャック２ａｂをアダプタ接続口２７に対して十分な距離だけ差し込んで電気的に接続することができる。
これに対して図１１に示すように第１ＡＣアダプタ１は、第２電気機器２０のアダプタ接続口２７に接続することができないようになっている。第１ＡＣアダプタ１の差し込みジャック１ａｂをケース外面Ｓから奥まった位置に配置されたアダプタ接続口２７に差し込もうとしても、プラグベース１ａａの接続方向前端面がケース外面Ｓに干渉して差し込みジャック１ａｂを十分な距離だけ差し込むことができない。これは、第１ＡＣアダプタ１の差し込み代Ｌ１が、台座部２ａｃの高さ分だけ第２ＡＣアダプタ２の差し込み代Ｌ２よりも短くなっていることによる。
このように、第２電気機器２０のアダプタ接続口２７には、専用の第２ＡＣアダプタ２の接続プラグ２ａのみを接続可能で、第１ＡＣアダプタ１の接続プラグ１ａを接続することができないようになっている。
【００１２】
このように構成した第１実施形態の接続可否判別構造によれば、消費電流の小さな旧型製品である第１電気機器１０のアダプタ接続口１７には、その専用である第１ＡＣアダプタ１の他に、より許容電流の大きな第２ＡＣアダプタ２を接続することができるので、許容電流以上の消費電流が流されることによる焼損等のトラブルを発生することなく当該第２ＡＣアダプタ２の利用可能な範囲を拡大することができる。
また、２形態のＡＣアダプタ１，２を利用できる点で第１電気機器１０の利便性及び付加価値を高めることができる。
なお、許容電流がより小さな第１ＡＣアダプタ１については、第１電気機器１０にのみ接続可能で、より消費電流の大きな第２電気機器２０には接続不能（誤接続防止）となっていることから、当該第１ＡＣアダプタ１の過電流によるその焼損等のトラブルの発生は確実に防止される。
また、第１実施形態の接続可否判別構造によれば、台座部２ａｃの有無により差し込みジャック１ａｂ，２ａｂがアダプタ接続口１７，２７にまで届くか否かによって接続の可否が判断される。第２ＡＣアダプタ２の差し込みジャック２ａｂは台座部２ａｃの高さ寸法分だけ第１ＡＣアダプタ１の差し込みジャック１ａｂよりも実質的に長くなっている。差し込みジャック２ａｂが台座部２ａｃの分だけ実質的に長いことにより、第２ＡＣアダプタ２は第１及び第２の両電気機器１０，２０に接続可能であり、これよりも台座部２ａｃの高さ寸法分だけ差し込みジャック１ａｂが実質的に短い第１ＡＣアダプタ１は、専用の第１電気機器１０にのみ接続でき、より消費電流の大きな第２電気機器２０には接続不能となってその焼損等のトラブルが未然に防止される。
【００１３】
以上説明した第１実施形態には種々変更を加えることができる。例えば、図１２には第２実施形態に係る接続可否判別構造が示されている。なお、図１２中において、○印は接続可能な組み合わせを示し、×印は接続できない組み合わせを示している。
許容電流（１．２アンペア）の大きな第２ＡＣアダプタ３０は、接続プラグ３１に配線３２を経て図示省略したアダプタ本体とコンセントが接続された構成を備えている。許容電流（７００ミリアンペア）の小さな第１ＡＣアダプタ４０は、接続プラグ４１に配線４２を経てアダプタ本体とコンセントが接続された構成を備えている。この点は第１実施形態と同様である。
第２ＡＣアダプタ３０の接続プラグ３１は、矩形箱体形状のプラグベース３１ａの接続方向前面に円柱体形状の第２台座部３１ｂを備え、この第２台座部３１ｂの接続方向前面中央に円筒形の差し込みジャック３１ｃを備えている。差し込みジャック３１ｃは、第２台座部３１ｂに同心に配置されている。
第１ＡＣアダプタ４０の接続プラグ４１は、矩形箱体形状のプラグベース４１ａの接続方向前面に円柱体形状の第１台座部４１ｂを備え、この第１台座部４１ｂの接続方向前面中央に円筒形の差し込みジャック４１ｃを備えている。差し込みジャック４１ｃは、第１台座部４１ｂに同心に配置されている。第１ＡＣアダプタ４０の第１台座部４１ｂは、第２ＡＣアダプタ３０の第２台座部３１ｂよりも大径に形成されている（ｄ１＞ｄ２）。第１ＡＣアダプタ４０の第１台座部４１ｂは、第２ＡＣアダプタ３０の第２台座部３１ｂと同じ高さで形成されている（Ｈ１＝Ｈ２）。
第１ＡＣアダプタ４０の差し込みジャック４１ｃと第２ＡＣアダプタ３０の差し込みジャック３１ｃは、同じ径及び長さに設定されている。
消費電流（１．２アンペア）の大きな第２電気機器３５のアダプタ接続口３６は、円形の第２判別凹部３７の奥部に設けられている。第２判別凹部３７は、第２ＡＣアダプタ３０の第２台座部３１ｂを挿入可能な径Ｄ２及び深さＨ２で形成されている。この第２判別凹部３７内に第２台座部３１ｂが挿入されることにおり、差し込みジャック３１がアダプタ接続口３６に接続される。
【００１４】
第２電気機器３５の第２判別凹部３７は、第１ＡＣアダプタ４０の第１台座部４１ｂよりも小径に形成されている。このため、この第２判別凹部３７内に第１台座部４１ｂを挿入することはできず、従って第１ＡＣアダプタ４０の接続プラグ４１を第２電気機器３５のアダプタ接続口３６に接続することはできない。
消費電流（７００ミリアンペア）のより小さな第１電気機器４５のアダプタ接続口４６は、円形の第１判別凹部４７の奥部に設けられている。第１判別凹部４７は、第１ＡＣアダプタ４０の第１台座部４１ｂを挿入可能な孔径Ｄ１及び深さＨ１で形成されている。
以上の第２実施形態に係る接続可否判別構造によれば、消費電流の小さな旧型製品である第１電気機器４５のアダプタ接続口４６には、接続可否判別部として大径の第１判別凹部４７が設けられている。一方、消費電流の大きな新型製品である第２電気機器３５のアダプタ接続口３６には、接続可否判別部として小径の第２判別凹部３７が設けられている。また、前者の第１電気機器４５専用の第１ＡＣアダプタ４０の接続プラグ４１には大径の第１台座部４１ｂが設けられており、後者の第２電気機器３５専用の第２ＡＣアダプタ３０の接続プラグ３１には小径の第２台座部３１ｂが設けられている。
このため、第１電気機器４５のアダプタ接続口４６には、専用の第１ＡＣアダプタ４０に加えて、第２ＡＣアダプタ３０の接続プラグ３１を接続可能であり、両アダプタ３０，４０を有効活用することができる。これに対して、第２電気機器３５のアダプタ接続口３６には、専用の第２ＡＣアダプタ３０の接続プラグ３１を接続可能であるが、そのアダプタ接続口３６に設けた第２判別凹部３７が小径Ｄ２であるため、第１ＡＣアダプタ４０の第１台座部４１ｂを挿入することができず、従って差し込みジャック４１ｃが接続口３６に届かないことから当該第１ＡＣアダプタ４０を接続することができない。
このように第２実施形態によっても、許容電流の小さな第１ＡＣアダプタ４０は消費電流の大きな第２電気機器３５には接続することができず、その誤接続による焼損等のトラブルが未然に防止される。また、許容電流の大きな第２ＡＣアダプタ３０は消費電流の小さな第１電気機器４５にも接続することができるので、当該第２ＡＣアダプタ３０の利用範囲を拡大することができ、かつ第１電気機器４５の使い勝手を高めることができる。
【００１５】
図１３には、第３実施形態に係る接続可否判別構造が示されている。図１３中、○印は接続可能な組み合わせを示し、×印は接続できない組み合わせを示している。
許容電流（１．２アンペア）の大きな第２ＡＣアダプタ５０は、接続プラグ５１に配線５２を経て図示省略したアダプタ本体とコンセントが接続された構成を備えている。許容電流（７００ミリアンペア）の小さな第１ＡＣアダプタ６０は、接続プラグ６１に配線６２を経て図示省略したアダプタ本体とコンセントが接続された構成を備えている。この点は、前記第１、第２実施形態と同様である。
第２ＡＣアダプタ５０の接続プラグ５１は、矩形箱体形状のプラグベース５１ａを備え、その接続方向前面に円筒形の差し込みジャック５１ｂを備えている。また、プラグベース３１ａの接続方向前面の下部には、接続可否判別部として溝形状の逃がし凹部５１ｃが設けられている。
第１ＡＣアダプタ６０の接続プラグ６１は、矩形箱体形状のプラグベース６１ａを備え、その接続方向前面に円筒形の差し込みジャック６１ｂを備えている。第１ＡＣアダプタ６０の接続プラグ６１には、上記逃がし凹部５１ｃに相当する部位は設けられていない。
第１ＡＣアダプタ６０のプラグベース６１ａと第２ＡＣアダプタ５０のプラグベース５１ａは、同じ形状及び大きさの矩形箱体形状を有している。また、第１ＡＣアダプタ６０の差し込みジャック６１ｂは、第２ＡＣアダプタ５０の差し込みジャック５１ｂと同じ径及び長さで形成されている。
消費電流（１．２アンペア）の大きな第２電気機器５５のアダプタ接続口５６は、矩形の凹み部であるプラグ嵌め込み部５７の底部に設けられている。このプラグ嵌め込み部５７の下部には、第２ＡＣアダプタ５０の逃がし凹部５１ｃに対応して、接続規制凸部５８が設けられている。接続規制凸部５８を逃がし凹部５１ｃ内に進入させつつ、第２ＡＣアダプタ５０のプラグベース５１ａをプラグ嵌め込み部５７に嵌め込むことによりアダプタ接続口５６に第２ＡＣアダプタ５０の接続プラグ５１を接続することができる。
第１電気機器６５のアダプタ接続口６６は、同じく矩形の凹み部であるプラグ嵌め込み部６７の底部に設けられている。このプラグ嵌め込み部６７には、上記接続規制凸部５８に相当する部位は設けられていない。このため、プラグ嵌め込み部６７にプラグベース６１ａを嵌め込んで、第１電気機器６５のアダプタ接続口６６に、専用の第１ＡＣアダプタ６０の接続プラグ６１を接続することができる。また、第２ＡＣアダプタ５０のプラグベース５１ａをプラグ嵌め込み部６７に嵌め込んで、第１電気機器６５のアダプタ接続口６６に第２ＡＣアダプタ５０の接続プラグ５１を接続することができる。
しかしながら、第２電気機器５５のアダプタ接続口５６に第１ＡＣアダプタ６０の接続プラグ６１を接続しようとすると、接続規制凸部５８がプラグベース６１ａに干渉して、当該プラグベース６１ａをプラグ嵌め込み部５７に完全に嵌め込むことができないため、差し込みジャック６１ｂがアダプタ接続口５６に十分に差し込まれず、従って接続することができないようになっている。
以上のように構成した第３実施形態に係る接続可否判別構造によっても、より消費電流の小さな第１電気機器６５のアダプタ接続口６６には、専用の第１ＡＣアダプタ６０に加えてより許容電流の大きな第２ＡＣアダプタ５０を接続することができ、これにより第２ＡＣアダプタ５０の利用可能な範囲を拡大してその付加価値を高めることができるとともに、第１電気機器６５の利便性を高めることができる。
【００１６】
図１４には、第４実施形態に係る接続可否判別構造が示されている。図１４中、○印は接続可能な組み合わせを示し、×印は接続できない組み合わせを示している。
許容電流（１．２アンペア）の大きな第２ＡＣアダプタ７０は、接続プラグ７１に配線７２を経て図示省略したアダプタ本体とコンセントが接続された構成を備えている。許容電流（７００ミリアンペア）の小さな第１ＡＣアダプタ８０は、接続プラグ８１に配線８２を経て図示省略したアダプタ本体とコンセントが接続された構成を備えている。この点は、前記各実施形態と同様である。
第２ＡＣアダプタ７０の接続プラグ７１は、矩形箱体形状のプラグベース７１ａを備え、その接続方向前面に円筒形の差し込みジャック７１ｂを備えている。また、プラグベース７１ａの周囲４箇所の角部のうち、接続方向に向かって右側の下角部は欠落されている（欠落角部７１ｃ）。第２電気機器７５のアダプタ接続口７６は、プラグベース７１ａを嵌め込み可能な矩形の第２嵌め込み凹部７７の底部に設けられている。この第２嵌め込み凹部７７には、接続プラグ７１の欠落角部７１ｃに対応して、逃がし角部７８が設けられている。
第１ＡＣアダプタ８０の接続プラグ８１は、矩形箱体形状のプラグベース８１ａを備え、その接続方向前面に円筒形の差し込みジャック８１ｂを備えている。このプラグベース８１ａには、上記欠落角部７１ｃに相当する部位は設けられていない。差し込みジャック８１ｂは、第２ＡＣアダプタ７０の差し込みジャック７１ｂと同じ径及び長さで設けられている。この第１ＡＣアダプタ８０の接続プラグ８１が接続される第１電気機器８５の接続口８６は、接続プラグ８１のプラグベース８１ａを嵌め込み可能な矩形の凹み部である第１嵌め込み凹部８７の底部に設けられている。この第１嵌め込み凹部８７には、上記逃がし角部７８に相当する部位は設けられていない。
このため、第１嵌め込み凹部８７にプラグベース８１ａを嵌め込んで、第１電気機器８５のアダプタ接続口８６に、専用の第１ＡＣアダプタ８０の接続プラグ８１を接続することができる。また、第２ＡＣアダプタ７０のプラグベース７１ａを第１嵌め込み凹部８７に嵌め込んで、第１電気機器８５のアダプタ接続口８６に第２ＡＣアダプタ７０の接続プラグ７１を接続することができる。
これに対して、第２電気機器７５のアダプタ接続口７６に第１ＡＣアダプタ８０の接続プラグ８１を接続しようとしても、アダプタ接続口７６に逃がし角部７８が設けられているため、当該第２嵌め込み凹部７７内に第１ＡＣアダプタ８０のプラグベース８１ａを嵌め込むことができない。このため、差し込みジャック８１ｂをアダプタ接続口７６に対して十分に差し込むことができない結果、当該第１ＡＣアダプタ８０の接続プラグ８１を第２電気機器７５のアダプタ接続口７６に接続することができない
以上のように構成した第４実施形態に係る接続可否判別構造によっても、より消費電流の小さな第１電気機器８５のアダプタ接続口８６には、専用の第１ＡＣアダプタ８０に加えてより許容電流の大きな第２ＡＣアダプタ７０を接続することができるので、当該第２ＡＣアダプタ８０の利用範囲を拡大してその付加価値を高めることができ、また第１電気機器６５の利便性を高めることができる。
以上説明した各実施形態にはさらに変更を加えることができる。例えば、第３実施形態において第２電気機器５５と第２ＡＣアダプタ５０に一組の接続可否判別部（接続規制凸部５８と逃がし凹部５１ｃ）を設ける構成を例示したが、二組以上設ける構成としてもよい。また、第４実施形態において第２電気機器７５と第２ＡＣアダプタ７０に一組の接続可否判別部（逃がし角部７８と欠落角部７１ｃ）を設ける構成を例示した、二箇所以上の角部について、逃がし角部と欠落角部を設ける構成としてもよい。
さらに、第１〜第４実施形態では、消費電流の小さな第１電気機器１０，４５，６５，８５と大きな第２電気機器２０，３５，５５，７５、許容電流の小さな第１ＡＣアダプタ１，４０，６０，８０と大きな第２ＡＣアダプタ２，３０，５０，７０を例示して、消費電流及び許容電流について二組の電気機器とＡＣアダプタの組み合わせにおいて接続の可否を判別する構造を例示したが、３組以上の電気機器とＡＣアダプタの組み合わせにおいて、同様の判別構造を適用することにより、許容電流のより小さなＡＣアダプタについてはその焼損等のトラブルを未然に防止しつつ、許容電流のより大きなＡＣアダプタの利用範囲を拡大し、かつ消費電流のより小さな電気機器について多くのＡＣアダプタを利用できるようにすることでその利便性を高めることができるようになる。
【符号の説明】
【００１７】
１…第１ＡＣアダプタ（第１実施形態）
１ａ…接続プラグ、１ａａ…プラグベース、１ａｂ…差し込みジャック
１ｂ…アダプタ本体、１ｃ…コンセント、１ｄ…配線
Ｌ１…差し込み代
２…第２ＡＣアダプタ（第１実施形態）
２ａ…接続プラグ、２ａａ…プラグベース、２ａｂ…差し込みジャック、２ａｃ…台座部
２ｂ…アダプタ本体、２ｃ…コンセント、２ｄ…配線
Ｌ２…差し込み代
５…ミュージックプレーヤ
６…ドックカバー
７…バッテリパック
１０…第１電気機器（第１実施形態）
１１…機器本体
１２…蓋部
１３…キャリングハンドル、１３ａ…ロッドアンテナ
１４…操作パネル、１４ａ…液晶モニタ、１４ｂ…起動スイッチ
１５…ボリュームダイヤル
１６…ガードバー
１７…アダプタ接続口
１８…スピーカ
１９…バンパ
２０…第２電気機器（第１実施形態）
２１…機器本体
２２…蓋部
２３…キャリングハンドル、２３ａ…ロッドアンテナ
２４…操作パネル、２４ａ…液晶モニタ、２４ｂ…起動スイッチ
２５…ボリュームダイヤル
２６…ガードバー
２７…アダプタ接続口
２８…スピーカ
２９…バンパ
３０…第２ＡＣアダプタ（第２実施形態）
３１…接続プラグ
３１ａ…プラグベース、３１ｂ…第２台座部、３１ｃ…差し込みジャック
ｄ２…第２台座部３１ｂの径
３２…配線
３５…第２電気機器（第２実施形態）
３６…アダプタ接続口
３７…第２判別凹部
Ｄ２…第２判別凹部３７の孔径
４０…第１ＡＣアダプタ（第２実施形態）
４１…接続プラグ
４１ａ…プラグベース、４１ｂ…第１台座部、４１ｃ…差し込みジャック
ｄ１…第１台座部４１ｂの径
４２…配線
４５…第１電気機器（第２実施形態）
４６…アダプタ接続口
４７…第１判別凹部
Ｄ１…第１判別凹部４７の孔径
５０…第２ＡＣアダプタ（第３実施形態）
５１…接続プラグ
５１ａ…プラグベース、５１ｂ…差し込みジャック、５１ｃ…逃がし凹部
５２…配線
５５…第２電気機器（第３実施形態）
５６…アダプタ接続口
５７…プラグ嵌め込み部
５８…接続規制凸部
６０…第１ＡＣアダプタ（第３実施形態）
６１…接続プラグ、６１ａ…プラグベース、６１ｂ…差し込みジャック
６５…第１電気機器（第３実施形態）
６６…アダプタ接続口
６７…プラグ嵌め込み部
７０…第２ＡＣアダプタ（第４実施形態）
７１…接続プラグ
７１ａ…プラグベース、７１ｂ…差し込みジャック、７１ｃ…欠落角部
７５…第２電気機器（第４実施形態）
７６…アダプタ接続口
７７…第２嵌め込み凹部
７８…逃がし角部
８０…第１ＡＣアダプタ（第４実施形態）
８１…接続プラグ、８１ａ…プラグベース、８１ｂ…差し込みジャック
８２…配線
８５…第１電気機器（第４実施形態）
８６…アダプタ接続口
８７…第１嵌め込み凹部
９０…充電式電気カンナ（電動工具）
９１…バッテリ取り付け部
【図１】
2013229957.tif 000003
【図２】
2013229957.tif 000004
【図３】
2013229957.tif 000005
【図４】
2013229957.tif 000006
【図５】
2013229957.tif 000007
【図６】
2013229957.tif 000008
【図７】
2013229957.tif 000009
【図８】
2013229957.tif 000010
【図９】
2013229957.tif 000011
【図１０】
2013229957.tif 000012
【図１１】
2013229957.tif 000013
【図１２】
2013229957.tif 000014
【図１３】
2013229957.tif 000015
【図１４】
2013229957.tif 000016